(57)【要約】【課題】給湯中に断水が起きたとき、給湯加圧ポンプが駆動し続け高温の湯を出湯してしまうことを防止する。【解決手段】湯水を圧送して供給するための給湯加圧ポンプ２と、給湯開始、給湯停止を検知するための圧力スイッチ４及び流量スイッチ５と、圧力スイッチ４及び流量スイッチ５で検知した信号に基づいて給湯加圧ポンプ２の駆動開始と駆動停止の信号を出力する加圧ポンプ制御部８を備えた給湯加圧ポンプユニット１において、給湯加圧ポンプ２の一次側の圧力状態を検知する給水圧センサ３を設け、給水圧センサ３の検知信号に基づいて加圧ポンプ制御部８が前記給湯加圧ポンプ２を停止させたことにより、給湯中の断水による高温の湯の出湯が防げるようになった。【選択図】図１
2007263394.tif 000002
【特許請求の範囲】
【請求項１】
湯水を圧送して供給するための給湯加圧ポンプと、給湯開始、給湯停止を検知するためのスイッチ部と、前記スイッチ部で検知した信号に基づいて前記給湯加圧ポンプの駆動開始と駆動停止させる加圧ポンプ制御部を備えた給湯加圧ポンプユニットにおいて、前記給湯加圧ポンプの一次側の圧力状態を検知する給水圧センサを設け、前記給水圧センサの検知信号に基づいて前記加圧ポンプ制御部が前記給湯加圧ポンプを停止させるようにしたことを特徴とする貯湯式給湯装置用給湯加圧ポンプユニット。
【請求項２】
加熱手段で高温に加熱された湯水を貯湯する貯湯タンクと、前記貯湯タンクへ水を供給するための給水管と、前記貯湯タンクから高温の湯水を出湯するための給湯管とを備えた貯湯タンクユニットにおいて、湯水を圧送して供給するための給湯加圧ポンプと、給湯開始、給湯停止を検知するためのスイッチ部と、前記スイッチ部で検知した信号に基づいて前記給湯加圧ポンプの駆動開始と駆動停止させる加圧ポンプ制御部と、前記給湯加圧ポンプ一次側の圧力状態を検知する給水圧センサとを設け、前記給水圧センサによって前記給湯加圧ポンプの一次側の圧力状態を検知し、前記給湯加圧ポンプの一次側の圧力状態を検知した信号に基づいて前記加圧ポンプ制御部が前記給湯加圧ポンプを停止させるようにしたことを特徴とする貯湯式給湯装置。
【発明の詳細な説明】
【技術分野】
【０００１】
この発明は、貯湯タンク内に貯湯された湯水をポンプで圧送して給湯する貯湯式給湯装置用給湯加圧ポンプユニット及び貯湯式給湯装置に関するものである。
【背景技術】
【０００２】
従来よりこの種のものでは、特許文献１や図５に示すような給湯加圧ポンプユニット１０１が知られており、湯水を圧送して供給するための給湯加圧ポンプ１０２と、一定の流量を検知する機能を持つ流量スイッチ１０３と、一定の圧力を検知する機能を持つ圧力スイッチ１０４と、給湯加圧ポンプ１０２から圧送された湯水が逆流しないようにするための逆止弁１０５と、検知した流量と圧力値の信号をもとに給湯加圧ポンプ１０２の駆動開始と駆動停止の信号を出力する加圧ポンプ制御部１０６と、湯水を給湯加圧ポンプ１０２へ吸い込む側の管である吸込管１０７と、給湯加圧ポンプ１０２から外部へ湯水を送り出す吐出管１０８とで構成されているものであった。
【０００３】
この給湯加圧ポンプユニット１０１の駆動について説明すると、一定値以上の圧力低下を圧力スイッチ１０４で、もしくは一定値以上の流量を流量スイッチ１０５で検知した信号に基づいて加圧ポンプ制御部１０６が給湯加圧ポンプ１０２を駆動させ、図示しない貯湯タンクからの湯水を圧送し、また湯水の給湯栓が閉じられることにより、給湯加圧ポンプユニット１０１内の流量スイッチ１０３が所定の流量以下の流量値を検知するか、もしくは給湯加圧ポンプユニット１０１内の圧力スイッチ１０４が所定の圧力以下の圧力値を検知した信号に基づいて加圧ポンプ制御部１０６が、給湯加圧ポンプ１０２を停止させるようにしているものであった。
【特許文献１】特開昭５８−４７９４７号公報
【発明の開示】
【発明が解決しようとする課題】
【０００４】
ところでこの従来のものでは、給湯中に断水が起きたとき給湯加圧ポンプ１０２の２次側では給湯栓が開いているため、ポンプ２次側に配置された圧力スイッチ１０４あるいは流量スイッチ１０５は、給湯状態を検知し続けてしまう。よって、給湯加圧ポンプ１０２は運転し続け、一方で給水は停止状態のため高温の湯のみが出湯され続けてしまうという危険を有するものであった。
【課題を解決するための手段】
【０００５】
そこで本発明は前記課題を解決するため、請求項１では湯水を圧送して供給するための給湯加圧ポンプと、給湯開始、給湯停止を検知するためスイッチ部と、前記スイッチ部で検知した信号に基づいて前記給湯加圧ポンプの駆動開始と駆動停止の信号を出力する加圧ポンプ制御部を備えた給湯加圧ポンプユニットにおいて、前記給湯加圧ポンプの一次側の圧力状態を検知する給水圧センサを設け、前記給水圧センサの検知信号に基づいて前記加圧ポンプ制御部が前記給湯加圧ポンプを停止させるようにすることとした。
【０００６】
また、請求項２では、加熱手段で高温に加熱された湯水を貯湯する貯湯タンクと、前記貯湯タンクへ水を供給するための給水管と、前記貯湯タンクから高温の湯水を出湯するための給湯管とを備えた貯湯タンクユニットにおいて、湯水を圧送して供給するための給湯加圧ポンプと、給湯開始、給湯停止を検知するためスイッチ部と、前記スイッチ部で検知した信号に基づいて前記給湯加圧ポンプの駆動開始と駆動停止の信号を出力する加圧ポンプ制御部と、前記給湯加圧ポンプ一次側の圧力状態を検知する給水圧センサとを設け、前記給水圧センサによって前記給湯加圧ポンプの一次側の圧力状態を検知し、前記給湯加圧ポンプの一次側の圧力状態を検知した信号に基づいて前記加圧ポンプ制御部が前記給湯加圧ポンプを停止させるようにすることとした。
【発明の効果】
【０００７】
この発明によれば、給湯栓から出湯を行なっている際に断水があっても、給水圧センサがポンプ一次側で確実に断水を検知し、その給水圧センサからの信号をもとに加圧ポンプ制御部が給湯加圧ポンプを停止させるため、断水時における給湯加圧ポンプの駆動を停止させ、高温水の出湯を防ぐことが出来る。
【発明を実施するための最良の形態】
【０００８】
次に、この発明の一実施形態を図１に基づいて説明する。
１は給湯加圧ポンプユニットで、２は湯水を圧送して供給するための給湯加圧ポンプで、３は給湯加圧ポンプ２の一次側の圧力状態を検知する給水圧センサで、４は一定の圧力を検知する機能を持つ圧力スイッチで、５は一定の流量を検知する機能を持つ流量スイッチで、６は急な圧力変動を吸収するアキュームレータで、７は給湯加圧ポンプから圧送された湯水が逆流しないようにするための逆止弁で、８は流量スイッチ５で検知した流量と圧力スイッチ４で検知した圧力の信号に基づいて給湯加圧ポンプ２の駆動開始と駆動停止の信号を出力する加圧ポンプ制御部で、９は湯水を給湯加圧ポンプ２へ吸い込む側の管である吸込管で、１０は給湯加圧ポンプ２から外部へ湯水を送り出す吐出管である。ここでは、給湯開始、給湯停止を検知するためのスイッチ部として圧力スイッチ４と流量スイッチ５を用いた。
【０００９】
次に、給湯加圧ポンプユニット１の給湯源である貯湯式給湯装置について図２に基づいて説明する。
１１は貯湯タンクユニットで、１２は加熱手段であるヒートポンプユニットで、１３は貯湯タンクユニットで貯めた湯水を出湯する給湯栓で、１４は加熱された湯水を貯める貯湯タンクである。
【００１０】
１５は貯湯タンク１４下部からヒートポンプユニット１２へ被加熱水が送られるヒーポン往き管で、１６はヒートポンプユニット１２から貯湯タンク１４上部へ被加熱水が送られるヒーポン戻り管で、１７は貯湯タンク１４内に内蔵されヒーポン往き管１５上に設けられたヒーポン循環ポンプである。
【００１１】
１８は貯湯、及び給湯用の水を給水する給水管で、１９は貯湯タンク１４への給水圧を一定の圧力に減圧するための減圧弁で、２０は貯湯タンク１４に貯められた湯水を出湯する給湯管で、２１は給水管１８から供給される水と給湯管２０から供給される湯水を混合して設定した温度に混合する給湯混合弁で、２２は給湯混合弁の下流に設け給湯する温度を検知する給湯温度センサで、２３は給湯量をカウントする給湯流量カウンタである。そして、給湯流量カウンタ２３の下流側に給湯加圧ポンプユニット１を設けた。
【００１２】
次に、この一実施形態である貯湯式給湯装置の作動について図３のフローチャートを用いながら説明する。
【００１３】
まず、給水管１８により貯湯タンク１４へ供給された水は、貯湯タンク１４下部からヒーポン循環ポンプ１７によってヒーポン往き管１５を通りヒートポンプユニット１２に送られ、加熱されて高温となった湯水は、ヒーポン戻り管１６によって貯湯タンク１４上部へ貯湯される。
【００１４】
給湯加圧ポンプ２の駆動開始に際しては、図３のフローチャートで示すように、ステップＳ１（以下、Ｓ１とする。Ｓ２以降も同様とする）で給湯加圧ポンプユニット１内部にある一定値より圧力が低い状態になったことを圧力スイッチ４が検知する（Ｓ１でＹＥＳ）か、もしくはＳ２で湯水がある一定の流量が流れたことを流量スイッチ５が検知する（Ｓ２でＹＥＳ）と、Ｓ３に進み圧力スイッチ４や流量スイッチ５で検知した信号が加圧ポンプ制御部８に送られ、加圧ポンプ制御部８が給湯加圧ポンプ２を駆動させ、加圧して湯水を３階や高所まで湯水を供給している。
【００１５】
この給湯の際、貯湯タンクユニット１１では貯湯タンク１４からの湯と給水管１８からの水が給湯混合弁２１で給湯設定温度に温度調節され、適温の湯が給湯加圧ポンプユニット１により加圧され給湯されている。
【００１６】
そして、給湯中に給湯加圧ポンプ２は次のように運転している。通常、給水圧センサ３では圧力が所定の圧力（例えば、正圧）より大きい値を示し（Ｓ４でＹＥＳ）、かつ流水スイッチ５では流水が一定値以上あることを検知（Ｓ５でＹＥＳ）しているとき、給湯加圧ポンプ２は通常運転している。給湯栓１３を止めた場合、湯水が流れなくなるので流量スイッチ５では一定流量以上の流量を検知しなくなるため給湯加圧ポンプの運転を停止させる（Ｓ４でＮＯ）。
【００１７】
また、Ｓ４で給水圧センサ３が給湯中に所定の圧力値（例えば、負圧）以下を検知したとき、給湯加圧ポンプ２の一次側が断水状態であるとみなされ、検知した信号を加圧ポンプ制御部８に送り、加圧ポンプ制御部８が給湯加圧ポンプ２を止める制御を行う。
【００１８】
これにより、給湯中に断水があっても突然高温の湯水が供給されることが無くなるため、使用者が火傷する心配も無くなり、常に安全に給湯が行なえるようになる。
【００１９】
また、図４は本発明の別実施形態であり、先の実施形態では加熱手段としてヒートポンプユニット１２を設けたが、図４の示す実施形態では加熱手段として電気ヒータ２４を設けた。また、先の実施形態では、給湯加圧ポンプユニット１を貯湯タンクユニット１１の外部へ設けたが、図４の示す実施形態では貯湯タンクユニット１１の内部に給湯加圧ポンプ２と、給水圧センサ３と、圧力スイッチ４と、流量スイッチ５と、アキュームレータ６を設けた。このようにした場合、貯湯タンクユニット１１を製造する時点で給湯加圧ポンプ２と、給水圧センサ３と、圧力スイッチ４と、流量スイッチ５と、アキュームレータ６を貯湯タンクユニット１１内に設けてしまうため、貯湯タンクユニット１１と給湯加圧ポンプユニット１を別々に施工する必要が無く施工の手間が省ける。また、給湯加圧ポンプユニット１を貯湯タンクユニット１１外部に施工する必要がなくなるため外部スペースの削減にもなる。
【００２０】
なお、上記の実施形態では圧力スイッチ４及び流量スイッチ５を給湯開始、給湯停止するためのスイッチ部としたが、いずれか一方のみを用いてスイッチ部とすることも出来、このスイッチ部は流量スイッチや圧力スイッチのように給湯開始、給湯停止を検知しその値によりスイッチをＯＮ、ＯＦＦさせる機能を有しているものであれば良い。
【図面の簡単な説明】
【００２１】
【図１】この発明の一実施形態を示す貯湯式給湯装置の概略構成図
【図２】この発明の一実施形態を示す貯湯式給湯装置の要部拡大図
【図３】同給湯加圧ポンプの運転を示すフローチャート
【図４】この発明の別実施形態を示す貯湯式給湯装置の概略構成図
【図５】従来の貯湯式給湯装置用給湯加圧ポンプユニット
【符号の説明】
【００２２】
１    給湯加圧ポンプユニット
２    給湯加圧ポンプ
３    給水圧センサ
４    圧力スイッチ
５    流量スイッチ
８    加圧ポンプ制御部
１１  貯湯タンクユニット
１２  ヒートポンプユニット
１３  給湯栓
１４  貯湯タンク
【図１】
2007263394.tif 000003
【図２】
2007263394.tif 000004
【図３】
2007263394.tif 000005
【図４】
2007263394.tif 000006
【図５】
2007263394.tif 000007